(57)【要約】本発明は、特に、複雑な透過性デバイス、すなわち、光の位相に作用する屈折および／または回折デバイス、および少なくとも１つのマイクロ画像アレイからなるアセンブリ（Ｅ）に関し、上記複雑な透過性デバイスは、各瞳孔（ＰＵ）がマイクロ光学デバイス（１）、上記マイクロ光学デバイスの少なくともいくつかを含む個々の「瞳孔」（ＰＵ）から形成される周期的二次元アレイ（ＲＰＵ）からなる（１）非中心光軸（１０）を有し、上記マイクロ光学デバイス（１）の少なくともいくつかは、非周期的に、すなわち、上記アレイ（ＲＰＵ）内において光軸のオフセットが可変に配置され、上記マイクロ画像アレイ（２）は、マイクロ光学デバイス（１）と同数のマイクロ画像からなり、各マイクロ画像（２）は、関連する瞳孔（ＰＵ）の輪郭と同一の輪郭と、最大で関連する瞳孔（ＰＵ）の輪郭と同一の表面を有し、各マイクロ画像（２）は、上記透過性デバイスがマイクロ画像アレイ（２）に面して配置され、観察者が上記透過性デバイスを通して上記アレイを観察したときに、観察者が、少なくとも所定の観察方向に沿って、上記方向に関連するサムネイル画像の組み合わせによって再構成された画像（Ｓ）を目撃するように、少なくとも１つのサムネイル画像（２０）に細分化され、上記透過性デバイスが上記マイクロ画像アレイ（２）に面して配置されたときに、上記サムネイル画像（２０）がそれぞれ、上記関連するマイクロ光学デバイス（１）の光軸に沿って配置されるように、同じ区画内において、特定のサムネイル画像（２０）、すなわち「第１グループ」を形成するその一部のみが分散されることを特徴とする。【選択図】図７Ｃ
2021507317.tif 000002
【特許請求の範囲】
【請求項１】
一方では、複雑な透過性デバイス、すなわち、光の位相に作用する屈折および／または回折デバイスからなり、他方では、少なくとも１つのマイクロ画像アレイからなるアセンブリ（Ｅ）であって、
前記複雑な透過性デバイスは、各瞳孔（ＰＵ）がマイクロ光学デバイス（１）を含む、個々の「瞳孔」（ＰＵ）で形成された周期的な二次元アレイ（ＲＰＵ）で構成されており、前記マイクロ光学デバイス（１）の少なくとも一部が非中心光軸（１０）を有し、前記マイクロ光学デバイス（１）の少なくとも一部が非周期的に、すなわち、前記アレイ（ＲＰＵ）内において光軸のオフセットが可変に配置されており、
前記マイクロ画像アレイ（２）は、マイクロ光学デバイス（１）と同数のマイクロ画像からなり、
各マイクロ画像（２）は、前記関連する瞳孔（ＰＵ）の輪郭と同一の輪郭と、前記関連する瞳孔（ＰＵ）の輪郭と最大で同一の表面とを有し、
各マイクロ画像（２）は、前記透過性デバイスが前記マイクロ画像アレイ（２）に面して配置され、観察者が前記透過性デバイスを通して前記アレイを観察したときに、前記観察者が、少なくとも所定の観察方向に沿って、前記方向に関連付けられた前記サムネイル画像の組み合わせによって再構成された画像（Ｓ）を目撃するように、少なくとも１つのサムネイル画像（２０）に細分化され、
前記透過性デバイスが前記マイクロ画像アレイ（２）に面して配置されたときに、前記サムネイル画像（２０）がそれぞれ、前記関連するマイクロ光学デバイス（１）の前記光軸に沿って配置されるように、同じ区画内において、いくつかのサムネイル画像（２０）、すなわち、「第１グループ」を構成するサムネイル画像の一部のみが分散される、ことを特徴とする、アセンブリ（Ｅ）。
【請求項２】
前記マイクロ光学デバイス（１）のそれぞれが非中心光軸（１０）を有し、前記マイクロ光学デバイスの全てが非周期的に配置されていることを特徴とする、請求項１に記載のアセンブリ。
【請求項３】
前記瞳孔（ＰＵ）が同一の形状および表面であることを特徴とする、請求項１または２に記載のアセンブリ。
【請求項４】
非中心光軸を有する前記マイクロ光学デバイス（１）がフレネルレンズからなることを特徴とする、請求項１〜３のいずれか一項に記載のアセンブリ。
【請求項５】
非中心光軸を有する前記マイクロ光学デバイス（１）が円形のブレーズド回折格子からなることを特徴とする、請求項１〜３のいずれか一項に記載のアセンブリ。
【請求項６】
各マイクロ画像（２）が少なくとも２つのサムネイル画像（２０）に細分化されていることを特徴とする、請求項１〜５のいずれか一項に記載のアセンブリ。
【請求項７】
同じ区画内において、第２グループを構成する他のサムネイル画像は、前記透過性デバイスが前記マイクロ画像アレイ（２）に面して配置されたときに、前記サムネイル画像がそれぞれ前記関連付けられたマイクロ光学デバイスの光軸とは異なる同じ軸線に沿って配置されるように分散されていることを特徴とする、請求項１〜６のいずれか一項に記載のアセンブリ。
【請求項８】
少なくとも１つの所定の観察角度から見た、各区画の前記サムネイル画像（２０）の組み合わせによって再構成される前記画像が、認識可能な情報（Ｓ）を構成するか認識可能な視覚効果を有することを特徴とする、請求項１〜７のいずれか一項に記載のアセンブリ。
【請求項９】
前記複雑な透過性デバイスと前記マイクロ画像アレイ（２）とが同じ媒体によって担持されることを特徴とする、請求項１〜８のいずれか一項に記載のアセンブリ。
【請求項１０】
前記複雑な透過性デバイスと前記マイクロ画像アレイ（２）とが異なる媒体によって担持されることを特徴とする、請求項１〜８のいずれか一項に記載のアセンブリ。
【請求項１１】
前記二次元マイクロ画像アレイは、それが移動可能であるか否かにかかわらず、デジタルツール画面（５）などの表示デバイスによって生成されることを特徴とする、請求項８に記載のアセンブリ。
【請求項１２】
紙幣（３）などのセキュリティ文書であって、その反対側の面（３０）の少なくとも１つが、請求項１〜１１のいずれか一項に記載のアセンブリの複雑な透過性デバイスを担持することを特徴とする、セキュリティ文書。
【請求項１３】
前記複雑な透過性デバイスが、前記反対側の面（３０）の１つによって担持される印刷の上に延在し、前記印刷が、請求項１〜９のいずれか一項に記載の前記アセンブリの二次元マイクロ画像アレイ（２）を構成することを特徴とする、請求項１２に記載のセキュリティ文書。
【請求項１４】
前記複雑な透過性デバイスが、前記反対側の面で開放されるとともに請求項１〜９のいずれか一項に記載の前記アセンブリの前記二次元マイクロ画像アレイ（２）を構成する印刷を含む窓（４）を通って延在し、前記窓（４）と前記印刷とは、少なくとも一時的に重ねられるように、互いに対して配置されていることを特徴とする、請求項１２に記載のセキュリティ文書。
【請求項１５】
前記印刷が、可視黒色インク、着色インク、艶消しインク、光沢インク、虹色効果を有するインク、メタリックインク、光学可変インク、不可視であるが紫外線（蛍光またはリン光）の下で可視、または赤外線の下で可視であるインク、からなる群から選択される少なくとも１つのインクからなることを特徴とする、請求項１２〜１４のいずれか一項に記載のセキュリティ文書。
【請求項１６】
前記透過性デバイスが透明ワニスの層でコーティングされ、それにより前記デバイスの上面が平面になっていることを特徴とする、請求項１２〜１５のいずれか一項に記載のセキュリティ文書。
【発明の詳細な説明】
【技術分野】
【０００１】
本発明は、一方では、複雑な透過性デバイス、すなわち、光の位相に作用する屈折および／または回折デバイスからなり、他方では、少なくとも１つのマイクロ画像アレイからなるアセンブリに関する。
【０００２】
本発明はまた、そのようなアセンブリを含む紙幣のようなセキュリティ文書にも関する。
【背景技術】
【０００３】
セキュリティ文書、より具体的には、紙幣などの受託者文書の分野において、光学的手段によって情報を符号化するための様々な技術が存在する。
【０００４】
ホログラフィック式の技術は最も古いものである。たとえば国際公開第９７／４０４６４号に記載されているように、スマートカード上のホログラムは今もなお使用されている。
【０００５】
同様に、モアレ効果を利用するデバイスは現在広く使用されている。これに関して、欧州特許出願公開第２８１１４７０号明細書を参照することができる。それらは、異なるピッチの位相アレイ（マイクロ光学デバイスなど）とマイクロ画像アレイとの間の結合に基づいている。
【０００６】
さらに、米国特許出願公開第２０１４／１７７００８号明細書に示されているように、いくつかの読み取り角度を優先する自動立体視の原理に関連する技術もかなり開発されている。
【０００７】
上記の様々な効果を組み合わせた変形は、当然、特に国際公開第２０１６／１８３６３５号に提案されている。
【０００８】
分極（たとえば、国際公開第２０１６／１４１４２０号を参照）または共振モード（たとえば、「プラズモン効果」を使用）などのより複雑な効果を実装する他の二次技術も提案されており、あるいは広く既存の保護を強化している（たとえば、国際公開第２０１５／１１３７１８号を参照）。
【０００９】
最後に、国際公開第２０１７／１８４５８１号は、本出願の請求項１の前文に記載のアセンブリを説明している。
【００１０】
これらすべての技術は、受託者文書などのセキュリティ文書に適用される場合、不正な複製を特に困難にすること、つまり偽造者の作業を複雑にすることを目的としている。
【先行技術文献】
【特許文献】
【００１１】
【特許文献１】国際公開第９７／４０４６４号
【特許文献２】欧州特許出願公開第２８１１４７０号明細書
【特許文献３】米国特許出願公開第２０１４／１７７００８号明細書
【特許文献４】国際公開第２０１６／１８３６３５号
【特許文献５】国際公開第２０１６／１４１４２０号
【特許文献６】国際公開第２０１５／１１３７１８号
【特許文献７】国際公開第２０１７／１８４５８１号
【発明の概要】
【発明が解決しようとする課題】
【００１２】
本発明は、マルチ観察式の技術に基づいており、再現がさらにいっそう困難であり、関係する文書の真正性を検証するための特に効果的な手段を含む新たな変形を提案することを目的とする。
【課題を解決するための手段】
【００１３】
したがって、本発明は、一方では、複雑な透過性デバイス、すなわち、光の位相に作用する屈折および／または回折デバイスからなり、他方では、少なくとも１つのマイクロ画像アレイからなるアセンブリに関し、
上記複雑な透過性デバイスは、各瞳孔がマイクロ光学デバイスを含む、個々の「瞳孔」で形成された周期的な二次元アレイで構成されており、マイクロ光学デバイスの少なくとも一部が非中心光軸を有し、マイクロ光学デバイスの少なくとも一部が非周期的に、すなわち、上記アレイ内において光軸のオフセットが可変に配置されており、
上記マイクロ画像アレイは、マイクロ光学デバイスと同数のマイクロ画像からなり、
各マイクロ画像は、関連する瞳孔の輪郭と同一の輪郭と、関連する瞳孔の輪郭と最大で同一の表面とを有し、
各マイクロ画像は、上記透過性デバイスが上記マイクロ画像アレイに面して配置され、観察者が上記透過性デバイスを通して上記アレイを観察したときに、観察者が、少なくとも所定の観察方向に沿って、上記方向に関連付けられたサムネイル画像の組み合わせによって再構成された画像を目撃するように、少なくとも１つのサムネイル画像に細分化され、
上記透過性デバイスが上記マイクロ画像アレイに面して配置されたときに、サムネイル画像がそれぞれ、上記関連するマイクロ光学デバイスの光軸に沿って配置されるように、同じ区画内において、いくつかのサムネイル画像、すなわち、「第１グループ」を構成するサムネイル画像の一部のみが分散される、ことを特徴とする。
【００１４】
さらに、本発明の他の非限定的かつ有利な特徴によれば、
上記マイクロ光学デバイスのそれぞれが非中心光軸を有し、上記マイクロ光学デバイスの全てが非周期的に配置されており、
上記瞳孔が同一の形状および表面であり、
非中心光軸を有する上記マイクロ光学デバイスがフレネルレンズからなり、
非中心光軸を有する上記マイクロ光学デバイスが円形のブレーズド回折格子からなり、
各マイクロ画像が少なくとも２つのサムネイル画像に細分化されており、
同じ区画内において、第２グループを構成する他のサムネイル画像は、上記透過性デバイスが上記マイクロ画像アレイに面して配置されたときに、サムネイル画像がそれぞれ上記関連付けられたマイクロ光学デバイスの光軸とは異なる同じ軸線に沿って配置されるように分散されており、
少なくとも１つの所定の観察角度から見た、各区画のサムネイル画像の組み合わせによって再構成される画像が、認識可能な情報を構成するか認識可能な視覚効果を有し、
上記複雑な透過性デバイスと上記マイクロ画像アレイとが同じ媒体によって担持され、
上記複雑な透過性デバイスと上記マイクロ画像アレイとが異なる媒体によって担持され、
上記二次元マイクロ画像アレイは、それが移動可能であるか否かにかかわらず、デジタルツール画面などの表示デバイスによって生成される。
【００１５】
本発明はまた、紙幣などのセキュリティ文書であって、その反対側の面の少なくとも１つが、上記のいずれか１つの特徴に記載のアセンブリの複雑な透過性デバイスを担持するセキュリティ文書に関する。
【００１６】
有利には、
上記複雑な透過性デバイスが、上記反対側の面の１つによって担持される印刷の上に延在し、印刷が、上記のいずれか１つの特徴に記載の上記アセンブリの二次元マイクロ画像アレイを構成し、
上記複雑な透過性デバイスが、上記反対側の面で開放されるとともに上記のいずれか１つの特徴に記載の上記アセンブリの二次元マイクロ画像アレイを構成する印刷を含む窓を通って延在し、窓と印刷とは、少なくとも一時的に重ねられるように、互いに対して配置されており、
上記印刷が、可視黒色インク、着色インク、艶消しインク、光沢インク、虹色効果を有するインク、メタリックインク、光学可変インク、不可視であるが紫外線（蛍光またはリン光）の下で可視、または赤外線の下で可視であるインク、からなる群から選択される少なくとも１つのインクからなり、
上記透過性デバイスが透明ワニスの層でコーティングされ、それにより上記デバイスの上面が平面になっている。
【００１７】
本発明の他の特徴および利点は、本発明の好ましい実施形態の以下の説明を読むと明らかになるであろう。この説明は、添付の図面を参照して行われる。
【図面の簡単な説明】
【００１８】
【図１】マルチ観察の原理を説明するための図である。
【図２】自動立体鏡検査の場合を例示することを意図した図である。
【図３】自動立体鏡検査の場合を例示することを意図した図である。
【図４】レンズアレイの下に広がるマイクロ画像から異なる画像がどのように再構成されるかを説明するための図である。
【図５】一方では屈折レンズとプリズムの組み合わせと、他方では光軸が偏心しているフレネルレンズとの間の等価性を示す図である。
【図６Ａ】関与するメカニズムの対称性、すなわち、レンズの光軸の偏心とサムネイル画像（画像部分）の位置の適合を示すことを意図した図である。
【図６Ｂ】関与するメカニズムの対称性、すなわち、レンズの光軸の偏心とサムネイル画像（画像部分）の位置の適合を示すことを意図した図である。
【図６Ｃ】関与するメカニズムの対称性、すなわち、レンズの光軸の偏心とサムネイル画像（画像部分）の位置の適合を示すことを意図した図である。
【図６Ｄ】関与するメカニズムの対称性、すなわち、レンズの光軸の偏心とサムネイル画像（画像部分）の位置の適合を示すことを意図した図である。
【図７Ａ】本発明によるアセンブリの特定の実施形態を示す図である。
【図７Ｂ】本発明によるアセンブリの特定の実施形態を示す図である。
【図７Ｃ】本発明によるアセンブリの特定の実施形態を示す図である。
【図８】マイクロレンズアレイの一部の２つの代替実施形態の上面図である。
【図９】マイクロレンズアレイの一部の２つの代替実施形態の上面図である。
【図１０】上から見た紙幣を示す図であり、その紙面の１つは、本発明によるアセンブリを担持している。
【図１１Ａ】前の図のアセンブリの非常に概略的な断面図である。
【図１１Ｂ】代替実施形態の図１１Ａと同様の図である。
【図１１Ｃ】代替実施形態の図１１Ａと同様の図である。
【図１２】図１０と同様の図であり、紙幣には、上記アセンブリの１つのレンズアレイのみを担持する透明な窓が設けられており、この図は、マイクロ画像アレイを表示できる画面上の電話も示している。
【図１３】第１の領域に、上記アセンブリの１つのレンズアレイのみを担持する透明な窓と、第２の領域に、マイクロ画像アレイの印刷とを含む紙幣を表す。
【発明を実施するための形態】
【００１９】
本発明によれば、アセンブリは、単純な配置によって、２つの主要な要素、すなわち、紙幣などのセキュリティ文書に出現する可能性があり、透過効果がある、マイクロ光学デバイスからなる複雑な透過性デバイスと、複雑な透過性デバイスが面している媒体とからなるように形成されている。
【００２０】
好ましくは、この媒体は、複雑な透過性デバイスが重ねられている場所に、媒体の基材（紙および／またはポリマーでできている）に直接貼り付けられてもよく、あるいは、たとえば、「スマートフォン」型の電話またはタッチパッドの画面上で可視であり、反射または透過で読み取ることができて肉眼では解釈できないパターンを収容できる。
【００２１】
あるいは、パターンの一部は媒体の基板上にあってもよく、別の一部は上記のモバイル機器上にあってもよい。これらの２つの要素を正しく重ね合わせることにより、
・一定の数の観察位置（近見視力、つまり４０ｃｍ付近）で異なる画像を形成して、レリーフまたは動きの錯覚を与えること、
・または、画像を立体視に組み合わせて、比色分析の組み合わせによって色を知覚できるようにすること、
・または、観察の正確な位置に第２の画像を形成し、この第２の画像がメイン画像に何らかの形で隠されるようにすること、ができる。
【００２２】
したがって、個別に暗号化または符号化されたマイクロ画像アレイとマイクロ光学デバイスのアレイとの２つの平面の組み合わせ、つまり、最小構成単位の配置の組み合わせによる復号化が実装されており、マイクロ画像は相互にマイクロ光学系であり、肉眼でまたは補助（拡大鏡、顕微鏡）を用いて単に観察することで容易に認識できる対称性や複製（変換）の規則に従わない。
【００２３】
別の方法として、媒体の基板上に直接、または媒体の基板に固定もしくは統合された別のベクター自体によって間接的に（たとえば、転写された要素、熱間圧延または冷間圧延された要素、部分的に埋め込まれたワイヤなど）、２つの平面の組み合わせを固定して、一度だけ作成することもできる。
【００２４】
［本発明に特有の符号化の原理および最新技術］
本発明によるアセンブリのシステムは、組み合わされた符号化（暗号化）媒体＋複雑な透過性デバイスに存在する。「複雑な透過性デバイス」とは、光の位相に作用する屈折デバイス、回折デバイス、または複合デバイス（たとえば、回折格子、レンズ、プリズムなど）を意味する。
【００２５】
媒体の各画像は、マイクロ画像アレイのサブ要素に対応する「サムネイル画像」で構成される（最終的に、最小のサムネイル画像は画像自体の画素である）。
【００２６】
マルチ観察の原理は、視線の傾きおよび方向に応じて異なる画像を視覚に提示することである。
【００２７】
最もよく知られているのは、視差バリアまたはレンズアレイの使用である。本発明は、それを一般化することによってそこからインスピレーションを引き出す。
【００２８】
実際、本発明によるアセンブリは、マイクロ画像アレイが配置される二次元屈折格子からなり、各サムネイル画像は、独立した画像を形成する目的で、レンズの光軸に対して真向かいにあるレンズの光軸に対してオフセットされ得る。
【００２９】
過去には、この種の多くの成果がすでに提案されてきた。したがって、例えば、米国特許出願公開第２０１４／１７７００８号明細書によれば、デバイスを傾けることにより、画像の移動、互いに対して移動するオブジェクトの移動、またはレリーフ、形状、外観／消失、ズームの効果を見ることができる。このため、画像の一部（それぞれが視野角に対応）は、各レンズの下で非常に特殊な方法で配置される。
【００３０】
同様に、国際公開第２０１５／０１１４９３号では、視野角ごとに異なる画像が含まれている（レンズの中心で知覚される角度範囲はより大きいため、レンズの中心の下に配置された画像の部分は側に配置された部分よりも大きいという違いがある）。
【００３１】
［定義］
本出願全体を通して、以下の用語および表現は、以下に与えられる定義を有する：
［マイクロ光学デバイス］：サイズが２５μｍ〜１００μｍのデバイスで構成される。その焦点距離は、１０〜４００μｍ、好ましくは４０μｍ〜１００μｍの間で変動する。
［マイクロ画像アレイ］：サイズが２μｍを超え、マイクロ光学デバイスの影響下で拡大されるサムネイル画像で構成される。これにより、大きな画像を形成することができる。
［画像］：画像は、一連のマイクロ光学デバイスを通して見たときに知覚されるものである。そのサイズは、上記アレイのサイズに対応し、すなわち、数平方ミリメートルと数平方センチメートルとの間である。サムネイル画像（別の方法として画像部分と呼ばれる）のセットで構成される。
［サムネイル画像または画像部分］：サムネイル画像は、マイクロ画像アレイの最小のサブ要素であり、画像を構成する。そのサイズは、マイクロ光学デバイスのサイズ以下である。これにより、特定のデバイスに対していくつかの可能なサムネイル画像を使用できる。したがって、マイクロ光学によって選択されたサムネイル画像は、見る角度によって異なり、これによって異なる画像が作成される。２つの連続した画像間で、視野角は数度異なる場合がある。
【００３２】
［本発明の基礎となる原理］
実装される第１の原理は、３つの異なる要素に基づいている。
【００３３】
第１の要素は、マイクロ画像アレイの上に配置された屈折格子の性質に関する。ここでは、マルチ観察の原理からインスピレーションを得て、画像化機能（レンズまたはアキシコン）とプリズム型の偏向機能とを組み合わせることを提案する。これらの条件下で、屈折格子は、有利には、プリズム（その角度および向きが固定されている）に結合された撮像素子（レンズまたはアキシコン）を含むマイクロ光学デバイスからなる。
【００３４】
第２の要素は、マイクロ画像アレイの設計に基づいている。後者は、それらを光学要素に面して配置すると、凝視のいくつかの位置において異なる画像が作成されるように配置および設計される。
【００３５】
第３の要素は、マイクロ光学デバイスの位相エイリアシングに関するものである。実際、この位相エイリアシングは、光学系に対する撮像対象の軸の並進の関数に変換することにより、撮像機能をプリズム機能と融合することを可能にする。このエイリアシングにより、光学系の製造および第２の要素の実装が簡素化される。
【００３６】
第２の原則、つまりマイクロ光学デバイスのアレイが必ずしも周期的ではないという事実により、後者がアレイの表面にアクセスできないようにすることを目的としたワニスなどの補償層で覆われていない場合、アレイを複製することがより困難になる。この補償層が存在しない場合、本発明のおかげで、後者の最小構成単位の配置は、単純な観察では確かに推定できない。
【００３７】
考慮された光学系のエイリアシングの原則に頼ることに加えて、簡単な解読を回避し、その結果、単純な観察から推定されない架空の忠実な複製によってのみ再現できるようにするため、画像化光学系の変換（エイリアシングによって可能）とサムネイル画像との両方が、明らかに集合的にランダムな方法で符号化される。
【００３８】
したがって、マイクロ光学の構成につながる凝視の特定の数の位置でさまざまな画像を再構成することを可能にするデバイスと、関連するサムネイル画像とは、ランダムに相互接続され、このことは、初期画像の状態を維持するために、上記の相互接続から生じる偏向の再計算を前提としている。
【００３９】
その結果、もはや均一ではないマイクロ光学の移動の分布が得られ、したがって、推定および／または再現するのがはるかに困難である。
【００４０】
実際には、この相互接続は、位相マスクの計算時に製造上の制約によって制限される最大たわみ制約によって作成される。たとえば、ｐ次のフレネルレンズの場合、マスクのエッジの２つの連続する画素間の位相偏差（つまり、最大の空間周波数）がｐπより大きい場合に、限界に達する。それを超えると、サンプリング限界未満になる。
【００４１】
図１は、マルチ観察の原理を示している。したがって、ここでは収束レンズＬＣが含まれるため、異なる視野角の異なる画像を見ることができる。視野角ＡＶ１の場合、収束レンズが光線を集中させるため、画像部分ＰＩ１のみが表示される。一方、視野角ＡＶ２では、画像部分ＰＩ２のみが見える。したがって、異なる画像間で交替することができる。
【００４２】
図２および図３は、自動立体視の使用例を示している。したがって、図２を参照すると、レンズアレイＲＬが含まれ、これにより、上で説明したように、いくつかの視野角ＡＶ１およびＡＶ２を優先することができ、サムネイル画像ＩＧ部分が各々の目に見えるようになる。これらの条件下では、レリーフ画像のように見える。同様に、図３を参照すると、各々の目が異なるサムネイル画像ＩＧを見ることができるように、光線の一部を遮断する視差バリアＢＰを使用することができる。
【００４３】
図４では、中心位置にマイクロ画像アレイＭＩ１〜ＭＩ４がある。レンズアレイＲＬの各レンズは、四角で区切られ、その下に４つの所与の視野角ＡＶ１〜ＡＶ４に対して大きな画像ＧＩ１〜ＧＩ４を再構成するように配置された４つのマイクロ画像が延在している。
【００４４】
図５を参照すると、一方の、屈折レンズＬＣ（光パワー）とプリズムＰ（光の偏向）との組み合わせと、他方の、偏心したフレネルレンズＬＦとの間に同等性がある。後者は同じ効果、つまり光の集中および偏向、を有する。利点は、偏向により並進が発生することである。
【００４５】
これは添付の図には表されていないが、プリズムに関連付けられたアキシコンは、偏心した円形のブレーズド回折格子（「アキシコン位相ホログラム」）と同等である。
【００４６】
図６Ａ〜図６Ｄは、レンズの光軸の偏心の影響と、所望の視野角に応じてレンズを通して後者を見るかまたは見ないためのサムネイル画像（すなわち画像部分）の適合の両方を示す。図６Ａの場合、画像部分ＰＩは、レンズが中心にあるとき、視野角ＡＶ１に対して知覚される。
【００４７】
しかしながら、レンズが右に偏心している場合、画像部分ＰＩは、図６Ｃに示すようにレンズが中央にある場合に画像部分ＰＩを左に移動させることになる視野角ＡＶ２（図６Ｂの場合）に対して見られる。偏心したレンズを用いて図６Ａの場合と同等にするためには、図６Ｄに示すように、画像部分ＰＩを移動させることも必要である。
【００４８】
これらの機能を組み合わせて（すなわち、インターレースして）、関係する構成の構成パラメータの抽出をより困難にすることができることがわかる。
【００４９】
図７Ａ〜図７Ｃは、本発明によるアセンブリの特定の例示的な実施形態を表す。
【００５０】
したがって、図７Ａは、個々の「瞳孔」ＰＵ、すなわちここでは各瞳孔ＰＵがマイクロ光学デバイスを含む正方形の位置で形成された二次元周期的アレイＲＰＵからなる複雑な透過性デバイスを表す。図を読みやすくするために、各瞳孔ＰＵの輪郭がここに表されているが、実際には見えない。
【００５１】
さらに、読みやすさの理由から、この図は、このアレイ上に配置されたレンズ１の光学中心１０のみを表している。これらのレンズは、アレイ内の光学中心からのオフセットが可変であることがわかる。
【００５２】
図７Ｂでは、前述のアレイＲＰＵが依然として表示されているが、今はマイクロ画像２のみが表されており、いくつかのサムネイル画像２０は黒い四角で表されている。これらのサムネイル画像は、サムネイル画像全体の一部のみを構成し、「第１グループ」を構成する。それらの分布も非周期的であることに注意されたい。ただし、それらのいくつかの位置は、図７Ａで識別された光学中心の位置と一致する。
【００５３】
図７Ｃは、「最終的な状況」、すなわち、２つのアレイが重ね合わされた状況を表す。
【００５４】
視線の方向がアレイの平面に垂直である場合、観察者の目には、図において灰色で表されている概して「Ｏ」字型の記号が表示される。この「Ｏ」は、図７Ｂのサムネイル画像２０の組み合わせによって再構成された画像である。
【００５５】
また、記号に属していない画素の場合、サムネイル画像はレンズの中心から遠く離れている。
【００５６】
図７Ａのレンズアレイまたは図７Ｂのサムネイル画像アレイを個別に取得した場合、それらの分布はランダムで無関係に見えるため、情報はない。前述の記号で構成される情報を示すのは、この２つの組み合わせだけである。
【００５７】
これはここでは表されていないが、対応するサムネイル画像がすべて別の観察軸に沿って一緒に見える場合は、第２の記号（または追加の記号）が表され得る。
【００５８】
したがって、これらのサムネイル画像（前述の「第１グループ」のサムネイル画像とは異なる）は、サムネイル画像の「第２グループ」を構成する。
【００５９】
このようにして、観察者は、観察者の視線の方向がアレイの平面に垂直である場合、前述の「Ｏ」の存在を観察する。次いで、観察者の視線を別の方向に向けることにより（またはアセンブリの方向を変更することにより）、第２の記号が現れる。
【００６０】
最終的に、他のすべての方向については、記号は現れない。
【００６１】
図８および図９は、互いに独立してランダムに生成された２つのマイクロレンズアレイ１を表す。マイクロレンズのそれぞれについて、下に配置されたマイクロ画像はそれに応じて調整される。２つのアレイの違いにもかかわらず、まったく同じ視覚効果（たとえば、正方形の拡大）が得られるように、レンズとサムネイルの画像配置の組み合わせを作成することができる。
【００６２】
レンズの不均一な分布は、特定の配置の再複製以外による複製を妨げることが観察され、この配置は無限に変化し得る。
【００６３】
アレイに隠し記号を追加することにより、作成されたパターンがオリジナルの偽造ではないことを識別することができる。
【００６４】
この記号は、たとえば、特定の角度でのみ観察可能な（したがって、他のすべての観察角度では非表示になる）第２の画像、またはレンズの表面での反射の観察可能なパターンであってもよく、それらの配置にリンクされていてもよい。
【００６５】
それは、例えば、光軸が非周期的アレイにおいて整然とした方法でオフセットされて文字またはパターンを形成するレンズの有限セットであってもよい。これらのレンズを特定の角度から観察することにより（サムネイル画像が見えないようにかなり大きく）、文字やパターンを認識することができる。
【００６６】
有利には、本発明のアセンブリＥは、紙幣などのセキュリティ文書によって担持される。
【００６７】
そのような紙幣３は、図１０に非常に概略的に示されている。紙幣３は、その反対側の面の１つに、前記アセンブリＥを担持している。
【００６８】
図１１の実施形態においてより具体的に示されるように、ここでのアセンブリＥは、紙幣の表面３０によって担持されるレンズアレイ１およびマイクロ画像アレイ２からなる。
【００６９】
この場合、アセンブリＥは、必ずしも連続的である必要はないが、紙幣３の基板上に直接２つのステップで作ることができる。
【００７０】
アセンブリＥは、アセンブリＥを担持する安全ワイヤを断面図で示す図１１Ｂに示されているように、適用ステップ（例えば、熱間転写フィルムもしくは冷間転写フィルム、熱間圧延フィルムもしくは冷間圧延フィルムなどの形態）または統合ステップの後に紙幣３に取り付けられた挿入物であってもよい。ワイヤは、基板の主要部に挿入されているが、一部の場所の表面に肉眼でそれを観察できる窓がある。
【００７１】
最後に、アセンブリＥは、紙幣３（たとえば、アレイ１に面している場合を除いて、一部の場所が不透明化された透明なポリマーで構成されている場合）を構成する基板（図１１Ｃに示す）を通過していてもよい。
【００７２】
マイクロ画像アレイ２に関しては、たとえば、画像、形状、パターン、情報などの形で構成できるようにする技術の認識可能な結果で構成され、これは、印刷、メタライゼーション／デメタライゼーション、レーザ彫刻によって制限されない。
【００７３】
印刷技術のみを保持するために、後者は、以下のインク、すなわち、可視黒色インク、着色インク、艶消しインク、光沢インク、虹色効果を有するインク、メタリックインク、光学可変インク、不可視であるが、紫外線（蛍光またはリン光）の下で可視、または赤外線の下で可視であるインク、からなる群から選択される少なくとも１つのインクを塗布することを可能にする任意の既知の方法に従って実行される。
【００７４】
さらに、レンズアレイ１は、永久的または一時的に、印刷の上に延在する。
【００７５】
このレンズアレイは、第１のステップにおいて、例えば、フォトリソグラフィによって、樹脂Ｓ１８１３（供給業者シプリー）などの感光性樹脂内に彫刻され得る。
【００７６】
その起源は次のとおりであってもよい。
【００７７】
ガラス基板上に樹脂層が堆積される。次いで、樹脂化されたプレートが、彫刻される位相マスクに対応するマスクによって変調されたＵＶのレーザビームに露光される。現像後、露光されたマスクの領域が削除される（「ポジティブ」樹脂の場合、それ以外の場合は、露光されていない部分が削除される）。これは、版がレリーフで彫刻される方法であり、最大彫刻深度は露光時間とともに増加する。
【００７８】
この起源から、複製プロセスは、ツールを取得し、その後、最終的な製品、つまりレンズアレイ１を紙幣３に直接、またはそれに統合できる形状（適用後または統合後の付属挿入物）で、あるいは、構成基板の透過性を活かした形状（上記の高分子基板で作られた紙幣の場合）でも取得する。
【００７９】
最後に、このレンズアレイ１が取り外し可能であって紙幣３に取り付けられていない変形もあり、この場合のみ、アレイ２は紙幣によって永久的に担持される。
【００８０】
好ましくは、レンズアレイの非平面の上面は、それを平面にし、直接の指紋採取による複製の不正な試みを回避するために、透明なワニスでコーティングされる。
【００８１】
製造されたアレイは、上記で実装された印刷に適用される。
【００８２】
図１２の実施形態では、紙幣３は窓４を含む。この窓は、透明な基板（例えば、二方向ポリプロピレンに基づく紙幣）の場合、紙幣の残りの部分に取り付けられる。基板が不透明な場合（たとえば、綿繊維ベースの紙幣）、この窓は、透明なポリマー材料で塞がれた開口部からなり、後者はレンズアレイ１を収容する。
【００８３】
マイクロ画像アレイに関しては、それがモバイルであるかどうかにかかわらず、スマートフォン型の電話５の画面５０またはデジタルツールのデジタル表示画面に表示することができる。
【００８４】
したがって、窓および画面に表示されたアレイを反対にすることにより、認識可能な情報が開示されているかどうか、または認識可能な視覚効果が強調表示されているかどうかに応じて、紙幣の真正性の検証に進むことができる。
【００８５】
図１３の実施形態では、アレイ１および２は紙幣３の２つの異なる領域に配置されているため、矢印ｆで示すようにこの紙幣にエイリアスを付けることにより、２つのアレイを重ね合わせて、認識可能な情報または視覚効果を表すことができる。
【００８６】
図示されていない一実施形態では、レンズアレイに加えて、マイクロ画像アレイの一部（例えば半分）のみが窓に担持され、一方で、電話などの画面に表示される、図１２のような紙幣が含まれ得る。
【００８７】
最後に、図示されていない最終的な実施形態では、マイクロ画像アレイ２のみを担持する紙幣３があり得、レンズアレイ１は、取り外し可能な媒体上に構築され、認証の目的で一時的にのみ追加される。
【図１】
2021507317.tif 000003
【図２】
2021507317.tif 000004
【図３】
2021507317.tif 000005
【図４】
2021507317.tif 000006
【図５】
2021507317.tif 000007
【図６Ａ】
2021507317.tif 000008
【図６Ｂ】
2021507317.tif 000009
【図６Ｃ】
2021507317.tif 000010
【図６Ｄ】
2021507317.tif 000011
【図７Ａ】
2021507317.tif 000012
【図７Ｂ】
2021507317.tif 000013
【図７Ｃ】
2021507317.tif 000014
【図８】
2021507317.tif 000015
【図９】
2021507317.tif 000016
【図１０】
2021507317.tif 000017
【図１１Ａ】
2021507317.tif 000018
【図１１Ｂ】
2021507317.tif 000019
【図１１Ｃ】
2021507317.tif 000020
【図１２】
2021507317.tif 000021
【図１３】
2021507317.tif 000022
【国際調査報告】
2021507317.tif 000023
2021507317.tif 000024
2021507317.tif 000025
2021507317.tif 000026
2021507317.tif 000027